(57)【要約】      （修正有）【課題】携帯電子機器の使用中に頭を上げる姿勢を維持し、首と背中の痛みを緩和するひじ支持具を提供する。【解決手段】「テックネック」を緩和するために、持つ人のひじを所望の位置に支持するためのひじ支持具１０は、長さ調節可能な肩ストラップ１１を有するショルダーバッグに内蔵されることによって、邪魔になりにくくされる。可撓性のバッグ組立体１４は、容積を有する内部室を規定するように接続され、可撓性のシート状材料で形成された対面する第１及び第２パネルを備えている。上部バッグ開口は、パネルの縁の間に配置されている。可撓性のシート状材料のひじ受けスリーブ１５は、上部バッグ開口に取り付けられ、全体的に円錐台の形状に開口してよく、使用に際しては、前腕及び上腕がひじ受けスリーブ１５の外側端から伸びるように湾曲したひじを支持する。閉状態では、ひじ受けスリーブ１５は、対向する半分が合わせられるように平坦にされる。【選択図】図１
0003231842.tif 000002
【実用新案登録請求の範囲】
【請求項１】
長手方向に関して互いに反対側に端部を有する長さ調節可能な肩ストラップ組立体と、
可撓性のシート状材料で形成され、相互に接続されて内部室を画定する対面する第１及び第２パネルであり、第１及び第２パネルの上部縁は、互いに反対側の端部で相互に接続され、間に上側バッグ開口を形成する第１及び第２パネルと、前記互いに反対側の端部のそれぞれに設けられ、長さ調節可能な前記肩ストラップ組立体の前記互いに反対側の端部のそれぞれを接続する締結部とを備える、可撓性のバッグ組立体と、
可撓性のシート状材料で形成され、開状態と閉状態との間で移動するように前記上側バッグ開口に取り付けられているひじ受けスリーブであり、前記上部縁に近接した外端から内端へ狭まるようにテーパー形状であり、ひじ受けスリーブは開状態では、全体的に円錐台の形状を有して７５度から１０５度の円錐角を有し、ひじ受けスリーブは使用時には、前腕と上腕とが前記外端から伸びるように、持つ人の曲がったひじを受け、ひじ受けスリーブは閉状態では、平坦にされてひじ受けスリーブの互いに対向する二つの半分を合わせるひじ受けスリーブとを備えている、目立たないひじ支持具。
【請求項２】
前記円錐台の形状は中心軸を有し、前記締結部は、前記中心軸の両サイドから実質的に等距離にある横軸に沿って配置されている請求項１記載の目立たないひじ支持具。
【請求項３】
前記ひじ受けスリーブの前記可撓性のシート状材料が、エラストマーを含む請求項１又は２記載の目立たないひじ支持具。
【請求項４】
前記エラストマーが、発泡エラストマーのシートを含む請求項３記載の目立たないひじ支持具。
【請求項５】
前記第１及び第２パネルの前記可撓性のシート状材料が、繊維を含む請求項１ないし４のいずれか１項に記載の目立たないひじ支持具。
【請求項６】
前記ひじ受けスリーブの各半分は、縫い合わせ又は接着によって、前記内端と前記外端との両方において又は両方に隣接して、前記第１及び第２パネルの一方に全体的に固着される請求項１ないし５のいずれか１項に記載の目立たないひじ支持具。
【請求項７】
前記ひじ受けスリーブの二つの半分は、少なくとも一つの継ぎ目で接合されている請求項１ないし５のいずれか１項に記載の目立たないひじ支持具。
【請求項８】
前記ひじ受けスリーブは、前記ひじ受けスリーブが平坦にされたときに少なくとも一つの前記継ぎ目に沿って折れ曲がる請求項７記載の目立たないひじ支持具。
【請求項９】
可撓性の前記バッグ組立体はさらに、閉鎖部を含み、前記閉鎖部は、前記内部室にアクセスするために前記第１及び第２パネルの一方に設けられたアクセス開口を閉鎖する請求項１ないし８のいずれか１項に記載の目立たないひじ支持具。
【請求項１０】
前記締結部はそれぞれ、孔を備え、
前記肩ストラップ組立体は、
長尺のストラップと、
前記ストラップに沿ってスライドするように接続され、前記ストラップに固着された一端を有し、前記締結部の一つにある前記孔を通過する第１ループを形成する張力ロックされるバックルと、
前記ストラップに沿って中間位置に固着されている第１カプラーとを備え、
前記ストラップの反対側の前記端部は、前記第１カプラーと相補的な第２カプラーに固着され、前記第１及び第２カプラーが接続されたときに、前記締結部の他の一つにある前記孔を通過し、第２ループを形成する請求項１ないし９のいずれか１項に記載の目立たないひじ支持具。
【請求項１１】
前記第１カプラーは留め穴部であり、前記第２カプラーは、前記留め穴部を受け入れる大きさであり、弾性的に取り付けられたゲートによって閉じられる開口を有するフックである請求項１０記載の目立たないひじ支持具。
【請求項１２】
前記第２カプラーが、前記締結部の別の一方にある前記孔で通過不能である請求項１１記載の目立たないひじ支持具。
【考案の詳細な説明】
【技術分野】
【０００１】
本考案は、目立たない（ｕｎｏｂｔｒｕｓｉｖｅ、邪魔になりにくい）ひじ支持具に関し、さらに詳しくは、「テックネック」と称する首のトラブルを緩和する姿勢を促進するために携帯電子機器の使用中に、持つ人（ｗｅａｒｅｒ）のひじを所望の位置に支持するための目立たないひじ支持具に関する。
【背景技術】
【０００２】
携帯電子機器の使用の増加とともに、「テックネック」即ち、首の痛み、上背部の痛みと損傷など、頭を前に向けた姿勢で長時間そのような装置を使用する傾向に関連すると考えられるトラブルの報告が増加している。このような片持ち式で頭を支持することは、首に歪みを引き起こす。これは、重大な関心事の鍵となる領域である。低い程度では、装置を支持するために絶えず腕を外へ伸ばすこともまた、手首の痛みと損傷の原因になりうる。損傷が生じない場合でも、このような携帯電子機器の長時間の継続した使用により、疲労、また他の一時的な苦痛を引き起こすことがある。従って、携帯電子機器を操作するときに生じるような、不適切な荷重の影響から、首、肩、背中、ひじ及び手首を解放する解決策に関して需要がある。
【考案の概要】
【０００３】
この問題に対する典型的な従来技術の解決法は、眼のレベル又はその近くで装置を支持する装置ホルダーを提供することであった。これは、一端に装置ホルダーが取り付けられたハーネス、例えば首リング、又は肩ストラップに搭載される後部枠など、片持ち式構造がここから突出するものを含むことがある。しかし、これらの解決法は、面倒であり邪魔になるという欠点がある。その大きさと重さのせいで収納や持ち歩きが困難になり、それがやや複雑であることにより高価となり、使うときにセットのために時間を浪費してしまう。
【０００４】
腕の吊り包帯（ｓｌｉｎｇ）が、患者の前腕を支持するために用いられる。これは患者の肩にかけるストラップで支えられるパウチを含む。患者の前腕がパウチの中に入れられ、これによりひじは９０度になり、前腕は腹部を横切って伸びる。上述したものを含む現行の腕の吊り包帯は、損傷した腕の正常な動きを制限するように機能し、患者の前腕を縦方向に支持はしないし、縦方向の方向成分で支持はしない。この点で、患者の手で持つ任意の装置に関しては、人間工学的に不満足な位置姿勢を与えるものとなってしまう。
【０００５】
米国特許２０１３／００６２３７５号では、長尺のキャリアの互いに反対側の端部が、肩ストラップの端部に固着された、吊り包帯タイプの製品を記載している。キャリアは、腹部の一方の体側に沿って水平に前腕を支持する表面と、端部のうち一方に設けられたひじキャップとを有する。この吊り包帯タイプの腕支持具の利点は、ハンドルのあるショッピングバッグで異なる重みの物品を運ぶための多様性を供することである。そのキャリアには１列のフックが設けられ、ハンドルの吊り下げが可能である。しかし、この製品もやはり、装置ホルダー及びアーム吊り包帯の両者の上述した欠点が残っている。
【０００６】
本考案の目的は、上述の欠点を克服、又は実質的に改善することであり、あるいはより一般的には、改良した目立たないひじ支持具を提供することである。
【０００７】
本考案の一つの態様では、目立たないひじ支持具が提供され、これは、
長手方向に関して互いに反対側に端部を有する長さ調節可能な肩ストラップ組立体と、
可撓性のシート状材料で形成され、相互に接続されて内部室を画定する対面する第１及び第２パネルであり、第１及び第２パネルの上部縁は、互いに反対側の端部で相互に接続され、間に上側バッグ開口を形成する第１及び第２パネルと、互いに反対側の端部のそれぞれに設けられ、長さ調節可能な肩ストラップ組立体の互いに反対側の端部のそれぞれを接続する締結部とを備える、可撓性のバッグ組立体と、
可撓性のシート状材料で形成され、開状態と閉状態との間で移動するように上側バッグ開口に取り付けられているひじ受けスリーブであり、上部縁に近接した外端から内端へ狭まるようにテーパー形状であり、ひじ受けスリーブは開状態では、全体的に円錐台の形状を有して７５度から１０５度の円錐角を有し、ひじ受けスリーブは使用時には、前腕と上腕とが外端から伸びるように、持つ人の曲がったひじを受け、ひじ受けスリーブは閉状態では、平坦にされてひじ受けスリーブの互いに対向する二つの半分を合わせるひじ受けスリーブとを備えている。
【０００８】
好ましくは、円錐台の形状は中心軸を有し、締結部は、中心軸の両サイドから実質的に等距離にある横軸に沿って配置されている。
【０００９】
好ましくは、ひじ受けスリーブの可撓性のシート状材料が、エラストマーを含む。好ましくは、エラストマーが、発泡エラストマーのシートを含む。好ましくは、発泡エラストマーは少なくとも一つの繊維材料片に層設される。
【００１０】
好ましくは、第１及び第２パネルの可撓性のシート状材料が、繊維を含む。
【００１１】
可撓性のバッグ組立体はさらに、内部室のライニングを形成する第１及び第２パネルの間に第１及び第２ライニングシートを備えてよい。
【００１２】
一つの実施形態では、ひじ受けスリーブの各半分は、縫い合わせ又は接着によって、内端と外端との両方において又は両方に隣接して、第１及び第２パネルの一方に全体的に固着される。これに代えて、ひじ受けスリーブの各半分は、第１及び第２パネルの一方の外端のみに固着されるか、又はこれに隣接していてよく、これによりひじ受けスリーブの内端は、第１及び第２パネルからフリーな形態で、使用中に外端から垂れ下がる。ひじ受けスリーブはさらに、可撓性のシート状材料で形成され、内端を閉じる端ピースを備えてよく、この構成ではひじ受けスリーブは上部バッグ開口を閉じてよい。
【００１３】
ひじ受けスリーブの二つの半分は、少なくとも一つの継ぎ目で接合されていてよい。ひじ受けスリーブが平坦にされたときに少なくとも一つの継ぎ目に沿ってひじ受けスリーブが折れ曲がるように、継ぎ目は位置していてよい。
【００１４】
好ましくは、可撓性のバッグ組立体はさらに、閉鎖部を含み、閉鎖部は、内部室にアクセスするために第１及び第２パネルの一方に設けられたアクセス開口を閉鎖する。好ましくは、閉鎖部はジッパーである。
【００１５】
好ましくは、肩ストラップ組立体は、
長尺のストラップと、
ストラップに沿ってスライドするように接続され、ストラップに固着された一端を有し、締結部の一つにある孔を通過する第１ループを形成する張力ロックされるバックルと、
ストラップに沿って中間位置に固着されている第１カプラーとを備え、
ストラップの反対側の端部は、第１カプラーと相補的な第２カプラーに固着され、第１及び第２カプラーが接続されたときに、締結部の他の一つにある孔を通過し、第２ループを形成する。
【００１６】
好ましくは、第１カプラーは留め穴部であり、第２カプラーは、留め穴部を受け入れる大きさであり、弾性的に取り付けられたゲートによって閉じられる開口を有するフックである。しかし、任意の数の現行のカプラー、例えば、プラグとソケットのファスナー、スナップドーム、ベルクロ（登録商標）フックと留め穴部とのファスナーなどが、この応用例で好適な代替の構成となることが理解されるものとする。
【００１７】
好ましくは、第２カプラーが、締結部の別の一方にある孔で通過不能である。これに代えて、第１カプラーと同様の別のカプラーが、中間位置から間隔をおいてストラップに固着されてよい。
【００１８】
本考案は、座り、立ち、又は歩くときに直ちに使用されるひじ支持具であって、携帯電子機器の使用中に頭を上げる姿勢を維持し、生じる恐れのある首と背中の痛みを緩和するひじ支持具を提供する。邪魔になりにくい状態で頻繁に着用する日用品にひじ支持具を内蔵することにより、携帯電子機器のユーザーに一層近づきやすくした製品として、二重の目的の利点を得ることができる。
【図面の簡単な説明】
【００１９】
以下、図面を参照して本考案の好ましい形態を例として説明する。
【００２０】
【図１】本考案の目立たないひじ支持具の斜視図である。
【図２】ひじ受けスリーブを開状態にした、図１の目立たないひじ支持具のバッグ組立体及びひじ受けスリーブの概略斜視図である。
【図３】ひじ受けスリーブを閉状態にした、図２のバッグ組立体及びひじ受けスリーブの概略斜視図である。
【図４】ひじ受けスリーブを閉状態にした、本考案の目立たないひじ支持具の斜視図である。
【図５】ひじ受けスリーブを閉状態にした、使用時の本考案の目立たないひじ支持具の斜視図である。
【考案を実施するための形態】
【００２１】
図１〜３を参照すると、携帯電子機器を持つときの所望の位置での持つ人のひじを支持するひじ支持具は、ショルダーバッグに内蔵することによって邪魔になりにくくなっている。本考案の目立たないひじ支持具１０は、ショルダーバッグとひじ支持具との組み合わせとみなされてよい。目立たないひじ支持具１０は、二つの長手方向に互いに反対側の端部１２，１３を有する長さ調節可能な肩ストラップ組立体１１を備えている。互いに反対側の端部１２，１３は、ユーザーのひじを受けるひじ受けスリーブ１５を支持する可撓性のバッグ組立体１４に接続可能である。
【００２２】
可撓性のバッグ組立体１４は少なくとも、対面する第１及び第２パネル１６，１７を備え、これらは、繊維、又は他の可撓性のシート状材料から形成されてよい。第１及び第２パネル１６，１７はともに、同じ形状であって、全体的に矩形であってよい。第１及び第２パネル１６，１７は、対面する長辺に沿っている折り目（例えば、下縁に沿う折り目５０）及び継ぎ目（図示せず）によって、その外周の一部に沿って、相互に接続されてよく、上側バッグ開口２０を第１及び第２パネル１６，１７の間に有するバッグを形成する。折り目と、縫い合わせた継ぎ目とに加えて、第１及び第２パネル１６，１７は、接着剤及び／又は追加のパネル（図示せず）によって、その外周の一部に沿って、相互に接続されてよい。このように、第１及び第２パネル１６，１７はバッグを形成し、個人の物品などを収容する容積を有する内部室２１を、これらの間に規定する。第１及び第２パネル１６，１７の最上部縁１８，１９は、互いに反対側の端部のみにおいて、即ち上側バッグ開口２０の各サイドのみにおいて相互に接続されている。上側バッグ開口２０はひじ受けスリーブ１５を受け入れる大きさになっている。
【００２３】
可撓性のバッグ組立体１４はさらに、上側バッグ開口２０の互いに反対側の端のそれぞれに締結部２４，２５を備えている。各締結部２４，２５は、孔２６，２７を有する。締結部２４，２５は、肩ストラップ組立体１１の互いに反対側の端部１２，１３のそれぞれの接続に用いられる。このようにバッグ組立体１４は、使用時には、この二つの締結部２４，２５の間で実質的に垂れ下がる。締結部２４，２５は、中心軸３５の両サイドから実質的に等距離にある横軸３６に沿って配置されている。締結部２４，２５は、例えば縫い目で接続されたテープを用いて、最上部縁１８，１９での互いに反対側の端部に固着された、長いリング又は矩形のリングを含んでよい。さらにバッグ組立体１４は、第１及び第２パネル１６，１７の一方に、内部室２１への開口を閉じるジッパー２８などの閉鎖部を含んでよい。
【００２４】
ひじ受けスリーブ１５は、可撓性のシート状材料から形成され、持つ人のひじを支持する（図２，５に示す）開状態と、上側バッグ開口２０が閉状態にある（図３，４に示す）閉状態との間で、上側バッグ開口２０とともに移動するように上側バッグ開口２０に取り付けられている。閉状態では、持つ人の腹部に当たって位置し、ひじ受けスリーブ１５は大部分視界から隠れる。最上部縁１８，１９に隣接する第１及び第２パネル１６，１７の間で受け入れられた外端３２から、内端３３まで、ひじ受けスリーブ１５は狭くなるようにテーパー形状である。開状態では、ひじ受けスリーブ１５は全体的に円錐台の形状であり、好ましくは７５度から１０５度、最も好ましくはほぼ９０度の円錐角αを含んでいる。閉状態では、ひじ受けスリーブ１５は平坦にされ、これにより、第１及び第２パネル１６，１７のそれぞれ一つに固着された対向する半分２９，３０が合わせられる。
【００２５】
一般的に可撓性のバッグ組立体１４としては、ポリマーシート、織物の繊維材料、編物の繊維材料、皮革、メッシュ／網などを含む、任意の可撓性のシート状材料がひじ受けスリーブ１５を形成するために好適である。しかし可撓性のシート状材料は、いくらかの弾性を与えることが好適である。好適な材料はエラストマーであり、最も好適な材料は、弾性と緩衝を提供する発泡エラストマーである。
【００２６】
例えば、ひじ受けスリーブ１５は４〜６ｍｍの厚みのネオプレン（登録商標）で形成されてよく、繊維材料片の片面又は両面（図示せず）に層設されてよい。円錐台の形状、またネオプレン（登録商標）の材料の弾性は、ひじ受けスリーブ１５は、ひじが挿入されたときに、休止状態から円周方向に広がることができ、これにより、ひじ受けスリーブ１５の全体を通ってひじの相補的な表面をしっかりとつかむことを意味する。目立たないひじ支持具１０は、異なるユーザーに適合するようにひじ受けスリーブ１５の異なるサイズ範囲で、形成されてよい。ひじ受けスリーブ１５は、円錐台の形状を作るように継ぎ目３１で接合されたネオプレン（登録商標）の条材で形成されてよく、ひじ受けスリーブ１５の対向する半分２９，３０は、第１及び第２パネル１６，１７のそれぞれに上側バッグ開口２０で固着される。ひじ受けスリーブ１５を二等分する平面に、継ぎ目３１が配置されてよい。対向する半分２９，３０は、これらが閉じた構成で合わせられたときに、継ぎ目３１に沿って折って合わせられてよい。
【００２７】
ひじ受けスリーブ１５の各対向する半分２９，３０は、例えば、対向する半分２９，３０の外周で縫い合わせるなどによって、外端３２と内端３３との両方において、又は両方に隣接して、第１及び第２パネル１６，１７の一方に固着されてよい。この縫い合わせは、長手方向にわずかに張力をそれぞれの半分にかけて、行われてよい。従って、ひじ受けスリーブ１５が休止状態から周方向に広がるいくらかの能力を与える。
【００２８】
肩ストラップ組立体１１は、ユーザーの肩につける長尺のストラップ３７を含んでよい。これは体格の異なるユーザーに合わせて肩ストラップ組立体１１の長さを調節するために、ストラップ３７に沿ってスライドするように接続された張力ロックされるバックル３８を有する。ストラップ３７の一つの端部１２は、張力ロックされるバックル３８に固着されて第１ループ３９を形成し、第１ループ３９は、締結部２４の中の孔２６を通ってから張力ロックされるバックル３８を通る。肩ストラップ組立体１１は、エラストマーで形成したパッド４０を含んでよい。パッド４０はストラップ３７の長手方向に可動であり、パッド４０に接触するユーザーの肩に重量を分散させる。
【００２９】
肩ストラップ組立体１１はさらに、ストラップ３７に沿った中間位置に設けられたＤ形留め穴部４１と、ストラップ３７の反対側の端部に固着されたフック４３とを含んでよい。フック４３は留め穴部４１を受け入れる大きさであり、弾性的に取り付けられたゲート５１によって閉じられる。フック４３と留め穴部４１とが接続されて短縮された構成になったときに、フック４３に接続された端部から、ストラップ３７が伸びて孔２７を通り、第２ループ４４を形成する。フック４３は孔２７を通ることができないので、フック４３が留め穴部４１から解除されたときに、これは延長された構成となる。従って、フック４３，留め穴部４１を単に着脱するだけで、ストラップ組立体は、短縮した構成と延長した構成との間で迅速に切り替えることができる。
【００３０】
肩ストラップ組立体１１を長くした構成である図４に示すように、目立たないひじ支持具１０はショルダーバッグのように身に着けられる。その肩ストラップ組立体１１が一方の肩５２にわたって伸び、胴体の前後を斜めに横切り、これにより可撓性のバッグ組立体１４が別の肩５３の下方で胴体の体側に当たって垂れ下がる。上側バッグ開口２０よりも下方に垂れ下がる重量物は、第１及び第２パネル１６，１７の最上部縁１８，１９と、ひじ受けスリーブ１５の対向する半分２９，３０とを、一緒に合わせたり保持したりする傾向がある。そのため、ひじ受けスリーブ１５は全体的に視界から隠れる。直ちに内部室２１にアクセスするように簡便にジッパー２８が位置されている間に、長くした構成では、携帯電子機器４６を手に取るために、目立たないひじ支持具１０を、快適に身に着けたり外したりすることを可能にする。フック４３は、簡便に、前方に位置している。
【００３１】
携帯電子機器４６を使用したいときには、フック４３が留め穴部４１に係合され、肩ストラップ組立体１１を短くする。肩ストラップ組立体１１を斜めに揃えることが維持されるので、この短縮は、可撓性のバッグ組立体１４とひじ受けスリーブ１５とを持ち上げる効果がある。上側バッグ開口２０とひじ受けスリーブ１５とは第１及び第２パネル１６，１７を離すことによって開かれ、持つ人はひじをほぼ９０度で曲げて、ひじ４７をひじ受けスリーブ１５に挿入し、これにより、前腕５４と上腕５５とは、この装置が腹部の体側に当たって垂れる間に、外端３２から伸びる。この位置で、上腕５５は、ほぼ２５度の曲がり角度５６を有してよい。この位置でストラップ長が正しく調節されると、目立たないひじ支持具１０は前腕５４の重みのための支持を提供し、その一方、ひじ受けスリーブ１５の弾性は前腕５４の伸びに対して漸進的な抵抗を与え、これによってほぼ９０度だけひじが曲がった状態に維持するようにする。ひじ受けスリーブ１５は、十分に大きな表面積を与え、これによりひじとひじ受けスリーブ１５との間の接触圧が快適さを確実なものとする。
【００３２】
このような形で支持された腕の手で、首をまっすぐ縦にして携帯電子機器４６を持つと、携帯電子機器４６は持つ人の眼の位置する水平面よりも１００〜２００ｍｍだけ下方になることができる。これにより、座っても、立っても、あるいは歩いても、頭を前に傾けることを必要とせずに、携帯電子機器４６をすぐに見ることができる。従って目立たないひじ支持具１０は、頭を前にした姿勢に伴う首の凝りを避けるような縦姿勢になることを促進する。また利点として、前腕５４の一層の縦方向姿勢によって、手首の凝りを減少させる。
【００３３】
本考案の態様は、例としてのみ記載してきた。その範囲から逸脱することなく、修正及び付加を行ってよいことが理解されることとする。
【図１】
0003231842.tif 000003
【図２】
0003231842.tif 000004
【図３】
0003231842.tif 000005
【図４】
0003231842.tif 000006
【図５】
0003231842.tif 000007